Podtech/llm-jp-corpus-v4-ja_patent huggingface dataset:
(57)【要約】      （修正有）【課題】安価な部品を利用した高速定電流合成パルス駆動回路において電流分解能、パルス特性改善をした回路構造を提供する。【解決手段】ＣＷ定電流部、スイッチ部及び電流合成部から回路を構成する。Ｔｒ１・Ｔｒ３がＯＮしていれば定電流回路１，２の流す電流の合成電流が負荷に流れる事になる。この基本回路１を多数接続する事により合成電流は増加して来る。しかも、電流合成するかしないかはＴｒ１、Ｔｒ３、Ｔｒ５、Ｔｒ７の組み合わせで決まって来る。定電流回路のオペアンプは低周波用の汎用品を用いている。Ｔｒ１、Ｔｒ２及びインバーター７は高速スイッチデバイスを用いて高速スイッチ切替えを行って、負荷側に電流を切替えて合成している。これにより、高速定電流合成パルス駆動が可能になる。【選択図】図２
0003149322.tif 000002
【実用新案登録請求の範囲】
【請求項１】
電流合成方法による定電流回路において基本回路１を多数接続する事と抵抗とスイッチを多数接続する事で、安価な部品を採用した為、容易に製造する事が出来、電流分解能、パルス特性が大幅に改善した高速定電流合成パルス駆動回路。
【考案の詳細な説明】
【技術分野】
【０００１】本考案は、電流分解能、パルス特性改善回路に関する。
【背景技術】
【０００２】一般に定電流駆動回路は、出力インピーダンスが高いため高周波特性が悪くリンギング（Ｒｉｎｇｉｎｇ）、サグ（Ｓｕｇ）が大きく、立上り（Ｔｆ）、立下り（Ｔｒ）時間が遅い回路だと思われ扱いが難しいと言われている。
【考案の開示】
【考案が解決しようとする課題】
【０００３】微小電流を瞬時に流す為には、負荷側の静電容量を少なくする事、或いは浮遊容量減少の為、ガード信号を作る等の考案をして来たが、この単独駆動回路で大電流を流そうとするとたちどころにリンギング（Ｒｉｎｇｉｎｇ）、サグ（Ｓｕｇ）が発生或いは立上り（Ｔｆ）、立下り（Ｔｒ）が遅くなって来る等の欠点があった。
【課題を解決するための手段】
【０００４】そこで微小電流回路はＤ．Ｃ駆動とし、スイッチ回路でダミー側、負荷側へと電流経路を切替える事によりリンギング（Ｒｉｎｇｉｎｇ）、サグ（Ｓｕｇ）発生、或いは立上り（Ｔｆ）、立下り（Ｔｒ）が改善される。
しかも大電流を流すには、この微小電流回路をパラレルに接続する事で改善される。
【考案を実施するための最良の形態】
【０００５】図１に示すように本回路は一般に言われているエミッターフォロワー回路であるがエミッターに流れる電流がコード抵抗群の値に従って変化する事を特徴としている。
抵抗群を高速スイッチによりＯＮ／ＯＦＦする事により、電流合成が行われ、コレクターに接続された負荷部に合成電流が流れる。又、バイアス電源及びオフセット抵抗を可変する事により、起点・終点の値が微調整出来る回路になっている。又、電流合成を高速に行うための高速スイッチにより、Ｔｒ、Ｔｆが１ｍ  ｓｅｃ程度の高速性も確認出来た。
本回路はスイッチにＥＣＬ系（３．３Ｖ）を用いる事により、低電力高速動作を保証する回路になっている。但し負荷インピーダンスが大幅に変化する場合には使用出来ない。【０００６】図２に示すように本回路は、ＣＷ定電流部、スイッチ部及び電流合成部から構成されている。
この回路はＴｒ１・Ｔｒ３がＯＮしていれば定電流回路１・２の流す電流の合成電流が負荷に流れる事になる。この基本回路１を多数接続する事により合成電流は増加して来る。しかも、電流合成するかしないかはＴｒ１、Ｔｒ３、Ｔｒ５、Ｔｒ７の組み合わせで決まって来る。定電流回路のオペアンプは低周波用の汎用品を用いている。Ｔｒ１、Ｔｒ２及びインバーター（Ｉ）は高速スイッチデバイスを用いて高速スイッチ切替えを行って、負荷側に電流を切替えて合成している。これにより、高速定電流合成パルス駆動が可能になる。【０００７】上記のような回路構成を施す事により高速定電流合成パルス駆動が可能になる。
【考案の効果】
【０００８】本考案に係る高速定電流合成パルス駆動回路は、安価な部品を採用した為、容易に製造する事が出来、高分解能、高スルプット（Ｖ／μｓｅｃ）の定電流回路が構成できる。定電流回路の悪い性質である内部発熱（Ｐｃ）も、微小電流合成による分散方式になっている為、熱集中が無く強制冷却フィンも不要となりコンパクトにまとまりパルス特性が大幅に改善した事により実用性にも優れた物である。
【図面の簡単な説明】
【０００９】
【図１】本考案に係る回路構成その１である。
【図２】本考案に係る回路構成その２である。
【符号の説明】
【００１０】１・・・ソース電源
２・・・コード又はデコード抵抗群
３・・・高速スイッチ
４・・・可変バイアス電源又はＦＥＴ
５・・・オフセット可変抵抗
６・・・オペアンプ
７・・・インバータ
【図１】
0003149322.tif 000003
【図２】
0003149322.tif 000004
【手続補正書】
【提出日】平成20年12月18日(2008.12.18)
【手続補正１】
【補正対象書類名】実用新案登録請求の範囲
【補正対象項目名】全文
【補正方法】変更
【補正の内容】
【実用新案登録請求の範囲】
【請求項１】
ＣＷ定電流部、高速スイッチ部、電流合成部から成るトランジスタ、抵抗、オペアンプ、インバータ回路を基本単位とする基本回路において、これを複数個パラレル及びシリーズのマトリックス構造に接続する事を特徴とする高速定電流合成パルス駆動回路。
(57)【要約】      （修正有）【課題】バドミントンの練習で、一人が連続で一つ一つのシャトルを取り出して練習が出来る、シャトル収納器具を提供する。【解決手段】三脚上部にアクリルパイプを脱着部により取り付け、シャトルをシャトル入口Ａから入れ、シャトル取り出し口Ｂより取り出し、使用する。上部アクリルには、シャトルを４０個収納可能で、脚部脱着部Ｅはフックにより取り外しが可能である。三脚収縮部Ｆは収縮可能で、縮めたとき持ち運びに便利であり、シャトル取り出し口Ｂからシャトルを取り出す時に、ポンッと音が鳴るのが特徴である。【選択図】図１
0003149323.tif 000002
【実用新案登録請求の範囲】
【請求項１】
シャトルを入れる筒がアクリルで出来ており、シャトルの残量が一目で確認可能。筒部と脚部は脱着可能な練習用シャトル収納器具。
【請求項２】
脚部は三脚になっており、使用時の転倒防止を強化し、シャトル収納数４０個が可能に、さらに脱着式にすることにより持ち運びに優れている練習用シャトル収納器具。
【請求項３】
筒部の出口は部品を取り付ける事により、使用時にポンッと軽快な音が鳴り、使用者が楽しく使用出来る練習用シャトル収納器具。
【考案の詳細な説明】
【技術分野】
【０００１】    本考案はバドミントンにおいて、使用するシャトルを収納するとともに、練習時に一人で連続してシャトルを一つづつ使用出来る、練習用シャトル収納器具に関する。
【技術背景】
【０００２】    バドミントンの練習で、ノック時にノック者は一度にたくさんのシャトルを持つことが出来ず、連続してシャトルをノックすることが難しい。
それに、前記シャトル収納ケース等よりもっとたくさん入る物が欲しいと言う声があったが、調べても無かった。
さらに、バドミントンを楽しく出来る様にしたかった。
【考案の開示】
【考案が解決しようとする課題】
【０００３】    バドミントン練習時において、一人で多くのシャトルを連続して取り出し、ノック等をスムーズに行う為、何度も補給する事が、煩わしかった。【０００４】    また、より多くの人達にバドミントンの楽しさを知ってもらうことが目的である。
【課題を解決する為の手段】
本考案は、三脚上部にアクリルパイプを脱着部により取り付けることにより強度が増し、シャトルを４０個収納可能。シャトル出口に器具を取り付けることにより、シャトルを取り出す時にポンッと音が鳴るの事により、楽しく練習出来る。
【考案の効果】
【０００５】    上記の様に本考案のハイクリア−４０は、バドミントン練習時に連続して使用するだけではなく、より多くのシャトルを収納して使用出来、上記の煩わしさを解消することが出来、併せてバドミントンの楽しさを知ってもらう事が出来ることに、効果を発揮する。
【考案を実施する為の最良の形態】
【０００６】    以下、本考案の実施形態を図１〜図３に基づいて説明する。
【０００７】    図１〜図３において、脚部を三脚にすることにより強度が増し、上部パイプを１ｍに出来アクリル内部にシャトルを４０個収納することが可能となる。Ｃのハンドルレバーは、図のように上下に可動し、それによりＤが回転。そして取り出し口が上下する。よって練習者の身長に関係なく使用することが出来る。
【０００８】    Ｅの脱着部は、フックにより取り外しが可能。Ｆが収縮し、折りたたむことにより、持ち運びに便利。
【０００９】    図２から、アクリルの厚さは２ｍｍ、外径は７５ｍｍ、内径は７１ｍｍとなる。
【００１０】    図３のから、取り出し口、器具の入口の内径は７５ｍｍ、出口が５０ｍｍ、そこから６０ｍｍにすることにより、シャトルの羽根が開くときに、ポンッと音が鳴る。
【図面の簡単な説明】
【００１２】
【図１】  本考案の全体図
【図２】  本考案のアクリルパイプ断面図
【図３】  本考案の取り出し口の拡大図
【符号の説明】
【００１３】Ａ  シャトル入口
Ｂ  シャトル取り出し口
Ｃ  ハンドルレバー
Ｄ  回転軸
Ｅ  上部、脚部脱着部
Ｆ  三脚収縮部
【図１】
0003149323.tif 000003
【図２】
0003149323.tif 000004
【図３】
0003149323.tif 000005
【手続補正書】
【提出日】平成21年1月9日(2009.1.9)
【手続補正１】
【補正対象書類名】実用新案登録請求の範囲
【補正対象項目名】全文
【補正方法】変更
【補正の内容】
【実用新案登録請求の範囲】
【請求項１】
シャトルの残量が一目で確認できるよう、シャトルを入れる筒がアクリルで出来ており、前記筒は脚部の上部に脱着可能に取り付けられていることを、特徴とする練習用シャトル収納器具。
【請求項２】
使用時の転倒防止を強化するよう、前記脚部は折りたたみ可能な三脚になっており、前記筒はシャトルを４０個収納可能であり、前記筒と前記脚部とを取り外して前記脚部を折りたたんで持ち運び可能であることを、特徴とする請求項１記載の練習用シャトル収納器具。
【請求項３】
前記筒はシャトルの入口と出口とを有し、前記出口に筒状の器具が取り付けられ、前記器具は、前記出口に一端開口が接続され、前記器具を通して前記出口から前記筒の中のシャトルを取り出すときにポンッと軽快な音が鳴るよう、前記一端開口から他端開口にかけて内径が次第に小さくなってから再び大きくなっていることを、特徴とする請求項１または２記載の練習用シャトル収納器具。
(57)【要約】      （修正有）【課題】薄くて、耐熱性に優れ、手にフィットして使い易いキッチンミットを提供する。【解決手段】ガラスを繊維状にしたガラス繊維で製作したキッチンミットである。調理場で働く方が使用すれば、ガラス繊維の断熱材としての効果により耐熱性に優れたミットとして火傷を防ぐことができ、工場で働く方が使用すれば、断熱材としてのほか、ガラス繊維の電気絶縁材としての効果により感電防止にも役に立つ。【選択図】図２
0003149314.tif 000002
【実用新案登録請求の範囲】
【請求項１】
耐熱性に優れたガラス繊維でやすく  、誰でも手軽に使用できるものを、作りたいと思いました。
【請求項２】
工場、調理場等で働く方の、味方になりたい。
【考案の詳細な説明】
【技術分野】
【０００１】ガラス繊維で作った耐熱に優れた、ミットです。
【背景技術】
【０００２】いかに薄くて、耐熱性に優れ、手にフィットして、使い良いかです。
【考案の開示】
【考案が解決しようとする課題】
【・・・・】
【課題を解決するための手段】
【・・・・】
【考案の効果】
【・・・・】
【考案を実施するための最良の形態】
【・・・・】
【実施例】
【・・・・】
【産業上の利用可能性】
【０００１】工場または施設等で働くと、やけどをすることがあります。多少高くても。
耐久性に優れていれば、割安になります。
【図面の簡単な説明】
【０００１】
【図１】
【符号の説明】
【ａ】
親指の長さ
【ｂ】
全長
【ｃ】
全幅
【図２】
▲１▼親指の長さ
▲２▼全長
▲３▼全幅
【図１】
0003149314.tif 000003
【図２】
0003149314.tif 000004
【手続補正書】
【提出日】平成20年10月3日(2008.10.3)
【手続補正１】
【補正対象書類名】実用新案登録請求の範囲
【補正対象項目名】全文
【補正方法】変更
【補正の内容】
【実用新案登録請求の範囲】
【請求項１】
耐熱性に優れた繊維でやすく、誰にでも手軽に使用できるものを、作りたいと思いました。
【請求項２】
工場、調理場等で働く方の、味方になりたい。
【手続補正２】
【補正対象書類名】明細書
【補正対象項目名】全文
【補正方法】変更
【補正の内容】
【考案の詳細な説明】
【技術分野】
【０００１】ガラス繊維、シリコンを使い、耐熱、防水に優れた、キッチンミットです。
【背景技術】
【０００２】自分が働いた環境で、これがあれば、やけどをしなくて、事故も起こらないと、痛感して考えました。
【産業上の利用可能性】
【０００３】工場または施設の食事提供者には、やけどをすることがありましたが、耐熱、防水、耐久にも答えれば、会社的にも得策です。
【図面の簡単な説明】
【０００４】
【図１】２つに別れたミットですが手の大小に関わらずフィットして、使えます。急ぐ時にはこれが良いです。
【図２】５本指のミットは大量にするときに最適です。サイズも選べ、安全性にもよいです。
【符号の説明】
【０００５】ａ・・・・・親指の長さを表します。
ｂ・・・・・全長の長さで、ちょうど手首の上にくるように、しました。
ｃ・・・・・横の幅です。広めにしました。
［１］・・・・親指の長さを表します。
［２］・・・・全長の長さです。ちょっと短めにしました。
［３］・・・・横の幅です。広めにして、すぐに着脱できるようにしました。
【手続補正書】
【提出日】平成20年12月9日(2008.12.9)
【手続補正１】
【補正対象書類名】実用新案登録請求の範囲
【補正対象項目名】全文
【補正方法】変更
【補正の内容】
【実用新案登録請求の範囲】
【請求項１】
ガラス繊維からなり、親指とそれ以外の指と２つに別れた耐熱性キッチンミット。
【請求項２】
ガラス繊維からなり、５本指に別れた耐熱性キッチンミット。
(57)【要約】      （修正有）【課題】掘削用油圧グラブのキャビテーションを抑制し、作業効率の向上を図るキャビテーション防止装置を提供する。【解決手段】掘削用油圧グラブ内での作動油のキャビテーションによる掘削能力の低下を防止するために、油圧装置内作動油室に仕切板を設置する事により、作動油の攪拌、発泡を制限し、又仕切板の形状で作動油の停滞を抑制し、油圧グラブの作業効率を向上させるものである。【選択図】図１
0003149318.tif 000002
【実用新案登録請求の範囲】
【請求項１】
掘削用油圧グラブ内油圧作動油キャビィテーションによる掘削能力の低下を防止するために、作動油室内に円形の仕切板を設け、作業中の振動、傾斜による撹拌、発泡を抑制し粘性のある作動油の流通を妨げないように、作動油室下部流通路を確保、仕切り板孔明を行い作業能力が低下することなくキャビィテーションの発生を抑える装置である。
【考案の詳細な説明】
【技術分野】
【０００１】  本考案は、キャビィテーション防止装置を設けた掘削用油圧グラブ作動油室に関するものである。
【技術背景】
【０００２】  掘削作業に於いて、キャビィテーション発性により作業能力が著しく低下していた。
【考案の開示】
【考案が解決しようとする課題】
【０００３】  キャビィテーションによる作動油の取り換え、油圧ポンプモーターの過負担による能力低下等によって起こる、掘削能力の低下を解消、解決しようとするものである。
【課題を解決するための手段】
【０００４】  本考案は、油圧グラブ作動油室内に円形の仕切り板を設け作業中の振動、傾斜による攪拌、発泡を抑制し粘性のある作動油の流通を妨げないように、作動油下部流通路確保、仕切板孔明を行い、作業能力が低下することなくキャビィテーションの問題点を解決している。
【考案の効果】
【０００５】  上述の様に、油圧グラブにキャビィテーション防止装置を設けたために、掘削作業能力が向上し作業効率が良くなった。
【実施例】
【０００６】  添付図面１、２の要領で、油圧グラブ油圧装置の下部油圧室に仕切板を設けキャビィテーションの発性をおさえる。【０００７】  添付図面３の要領で、下部流通路の確保、孔明により作動油の停滞をおさえる。
【図面の簡単な説明】
【０００８】
【図１】  仕切板設置正面図
【図２】  仕切板設置上面図
【図３】  仕切板形状図  正面
【図４】  仕切板形状図  上面
【符号の説明】
【０００９】  １  仕切板
２  油槽
３  オイルフィルター
４  与圧室
５  アキュムレーター
６  電動機
７  油圧ポンプ
【図１】
0003149318.tif 000003
【図２】
0003149318.tif 000004
【図３】
0003149318.tif 000005
【図４】
0003149318.tif 000006
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
掘削用油圧グラブ内での作動油のキャビテーションによる掘削能力の低下を防止するために、作動油室内に、油圧ポンプを囲んで設けられる、孔を有する円筒状の仕切板からなるキャビテーション防止装置。
(57)【要約】【課題】  物体の質量を測定する際、従来の測定器具には向かない分野の、別な測定方法について。例えば、電子てんびんでは強い磁気を伴う物体の測定は難しかった。  また、軽い物体を簡易的に量る場合でも、水滴ほど細かい差となると手頃な計測器ではメモリの変化が正しく読めなかった。【解決手段】  浮きの仕組みを応用した質量差計で、浮きの下部に重りを付け、上部に皿を付けることで、物体の重さを計測出来ます。さらに、メモリ部分を薄いパイプ状にすることにより高精度の割に重い物体を計測出来ます。【選択図】図１
0003149320.tif 000002
【実用新案登録請求の範囲】
【請求項１】
浮きの仕組みを応用した質量差計で、浮きの下部に重りを付け、上部に皿を付けることで、物体の重さを計測出来ます。さらに、メモリ部分を薄いパイプ状にすることにより高精度の割に重い物体を計測出来ます。
【考案の詳細な説明】
【技術分野】
【０００１】  本考案は、浮きの仕組みを応用した質量差計とする。
【背景技術】
【０００２】  従来は、正確かつ高精度を必要とすると、電子てんびん又は上皿てんびん、簡易的なものは、ばねを用いたはかりが一般的であった。
【考案の開示】
【考案が解決しようとする課題】
【０００３】  電子てんびんでは、強い磁気を伴う物体の重さは計測が難しかった。
【課題を解決するための手段】
【０００４】  本考案は、電気やコイルを使っていないため、磁気にほとんど影響されない。
【考案の効果】
【０００５】  丈夫かつ水滴等が着かない材料を用いれば、一般的な上皿てんびん程度、あるいはそれよりも高い精度で計測可能である。また、電子てんびんの様に、電源を必要としない。従来の質量計とは構造が異なるため、上記の他にも有効な分野があるであろう。
【考案を実施するための最良の形態】
【０００６】  規準とした一定の重さに、粉末等をいくつも測り取ること、実験や反応の前後の質量の差、あるいは標準に対する物体の重さの差を求めるためものだが、分銅等を用いれば、質量も測定出来る。
精密に測定するには、水滴や気泡の付着を防ぐために、超親水性や超撥水性あるいはそれに準じる加工を施す必要がある。しかし、精密さを必ずしも必要としない場面ならば、表面加工は必要ない。浮きの底を空けておき、入れた空気の量でおよその浮力を調節することもできる。安定性や丈夫さが必要な場合は、メモリ部分である計測管を複数とする。浮き、重り、計測管、皿以外は、ほとんど省くことが可能である。
なお、メモリ部分である計測管は、壊れやすいため、接点で着脱、取り換え式が望ましい。場合により、計測管に空気が入りやすいよう、接点に穴をあける。
容器、浮き、皿、特に計測管は、透明か半透明が望ましい。
最も沈んだ時、皿や測定物する物体が濡れない様、容器や水位の高さを設定するか、皿の下部に防水浮きを付ける。
超軽量な材質があれば、水を重い気体、浮きを軽い気体にすると細かく測れる。
【実施例】
【０００７】  精密に、規準とした一定の重さに粉末等をいくつも測り取る手順を説明する。
容器５に水又は純水１３を入れ、本体を入れる。次に、規準とする物体を本体の皿２に置き、水位をメモリ付き計測管３に合わせるために分銅６を置いていく。分銅６は必要に応じて小皿７を使い、また、計測管上下の大目盛り８で、中心までのだいたいの差を知ることが出来る。さらに、水位やバランスを調整し、どこか例えば中心のメモリ１０に合わせる。後は、規準とする物体を降ろして、測りたい粉末を、水位が再び中心のメモリ１０に達するまで加える。いくつも測り取るには、これを繰り返す。【０００８】  浮きの空気の調整が可能なバージョンで、かつ簡易的に物を量る手順を説明する。
容器５に水１３を入れ、本体を入れる。次に、量る物１４に応じて、ストローやＪ字管等で大まかに浮き１の空気を調節する。量る物１４を乗せ、最終的には空気や分銅６で水位をメモリ３の範囲に収める。後は、量る物１４を降ろして再び同じ水位まで分銅６を乗せ、その分銅６の重さの表示を数える。【０００９】  小型な簡易版は、水１３を入れて量る物１４を乗せるだけでいい。ただし、量る物１４があまりにも軽い場合は、分銅６を用いるか、他の物と併せて測る。
【図面の簡単な説明】
【００１０】
【図１】本考案の質量差計の実施例を示す正面図である。
【図２】浮きの空気の調整が可能なバージョンの浮き周辺部分の正面図である。
【図３】小型な簡易版の実施例を示す正面図である。
【符号の説明】
【００１１】１    浮き
２    皿
３    メモリ付き計測管
４    重り
５    容器
６    分銅
７    小皿
８    大目盛り
９    防水浮き
１０  中心のメモリ
１１  接点
１２  水面
１３  水又は純水
１４  測定する物体
【図１】
0003149320.tif 000003
【図２】
0003149320.tif 000004
【図３】
0003149320.tif 000005
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
浮きの仕組みを応用した測定器であり、浮きの下部に重りを付け、上部に皿を付けることで、物体の重さを計測し、さらに、浮きと皿の間に設けたメモリ部分を薄いパイプ状にすることにより高精度の割に重い物体を計測出来る質量差計。
(57)【要約】      （修正有）【課題】施工性の向上とその際の使用材料の汎用性を向上させたコンクリート打ち込み用断熱パネルを提供する。【解決手段】既に広く使用されている合成発泡樹脂断熱パネルの所定箇所に釘やビスが固定できる程度の強度がある、当該パネルと同様種で硬質の部材、もしくは木を予め設置した当考案品をコンクリートに打ち込む事により、胴縁程度の木材が取り付け可能となり、充分にボードの下地として使用できる。また必要箇所には合板も貼る事ができる。この際に部屋の有効面積が減る事も最小限に抑えられる事となる。【選択図】図１
0003149316.tif 000002
【実用新案登録請求の範囲】
【請求項１】
合成発泡樹脂断熱パネルの一部分に、釘やビスやボルトを使って木材等を固定できる程度の強度を持った同様種で高密度の合成樹脂もしくは木材等（以降  硬質部材と呼ぶ）を組み込んだ断熱パネル。
【請求項２】
コンクリートとの密着性や引き抜き強度を上げるために、その密着面を粗面仕上げやアンカーを取り付けられるような硬質部材を、部分的に配置したコンクリート打ち込み用断熱パネル。
【考案の詳細な説明】
【考案の詳細な説明】
【技術分野】
【０００１】  本考案はコンクリート系建築物において、コンクリートに断熱材を打ち込み、その上に内装仕上げや外装仕上げを行う場合の、施工性の向上とその際の使用材料の汎用性を向上させるための考案である。
【背景技術】
【０００２】  コンクリート打ち込み用断熱パネルは様々に存在するが、それらは基本的に断熱のみを目的とした物であり、その後の施工性には配慮の欠ける物ばかりであった。一般的には、ボンドを使った石膏ボードの直張り工法（以降ＧＬ工法等と呼ぶ）か、内部に大きな空間を使用して新たに木材や軽量鉄骨にて軸組みを造り、ボード類を張るための下地としなければならなかった。【０００３】  そしてＧＬ工法等においては、反りが発生する合板やボンドには接着性が悪い材料（以降合板等と呼ぶ）は施工できなかった。また通常のように石膏ボードを施工すると、竣工後において画鋲やビス等が利用しにくいと言う難点があった。【０００４】  また合板等を張り付けるために新たに下地を作れば、有効部屋面積が小さくなるし、施工手間も多くかかるという事が問題であった。
【考案が解決しようとする課題】
【０００５】  断熱パネルの性能を極力落とさず胴縁程度の材料を容易に取り付けることができ、胴縁がボード下地となり、部屋の有効面積を極力狭めることなく、必要な箇所に合板等を張り付けることができるようにすることを課題とする。
【課題を解決するための手段】
【０００６】  そこで、断熱パネルの必要な箇所に硬質部材を組み込むこととする。この際、硬質部分のコンクリートとの接触面は粗面仕上げとし密着性を高める事とする。
【考案の効果】
【０００６】  そうすることで胴縁程度の木材を断熱パネルに直接取り付ける事ができ、その木材に釘やビスを使って合板等も張り付けられ、部屋の有効面積が減少する事も最小限に抑えることができる。
【０００７】  また、その硬質部材にアンカー等を取り付ける事により、引き抜きに対する許容応力度を上げる事ができる。そうする事で外部にも使用することが可能となり、コンクリート系建築物の外断熱を容易に行う事ができるようになる。
【考案を実施するための最良の形態】
【０００８】  断熱効果の低減を極力避け、且つ部屋面積もできるだけ狭めぬようにする事がこの考案の必要条件である。尚且つ石膏ボードでも合板等でも施工できるようにするという課題を克服するためには、断熱パネルの厚さの範囲で考案を凝らす事が必要となる。その考えに基づき、硬質部材を断熱パネルと一体とし、その一部分として組み込む事が最善である。
【図面の簡単な説明】
【０００９】
【図１】  本考案の斜視図である。１は合成発泡樹脂による従来の断熱パネルである。１ａはその一部分に配置された、硬質部材である。１と１ａは一体となっている。
【図２】  本考案材料をコンクリートの壁に打ち込み、横胴縁を下地として組んだ上にボードを施工した例である。２はコンクリートの壁であり、１は本考案のうちの断熱パネル本体部分である。１ａは１と一体になった硬質部材である。そして４のビスを用いて３の胴縁を１ａに固定している。５は３の胴縁に固定された石膏ボードもしくは合板等であり、６のビスを用いて固定される。
【符号の説明】
【００１０】１      コンクリートに打ち込まれた断熱パネル本体
１ａ    １の内部に配置され一体となった硬質部材
２      コンクリートの壁
３      １ａに取り付けられた木材による横胴縁
４      ３を固定するビス
５      石膏ボードもしくは合板等
６      ５を固定するビス
【図１】
0003149316.tif 000003
【図２】
0003149316.tif 000004
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
合成発泡樹脂断熱パネルの一部分に、釘やビスやボルトを使って木材等を固定できる程度の強度を持った同様種で高密度の合成樹脂もしくは木材等（以降  硬質部材と呼ぶ）を組み込んだ断熱パネル。
【請求項２】
請求項１に記載された断熱パネルであって、コンクリートとの密着性や引き抜き強度を上げるために、その密着面を粗面仕上げやアンカーを取り付けられるような硬質部材を、部分的に配置したコンクリート打ち込み用断熱パネル。
(57)【要約】      （修正有）【課題】身体的に障害のある人や高齢者の自由にかつ気軽に自動二輪車の気分を味わいたいという夢を具現化するため、より少ない踏力で制動力を高めたトライクを提供する。【解決手段】少ない踏力で制動力を高めるために、自動車に一般的に使用されている負圧式のブレーキシステムを導入し負圧式ブレーキブースターとマスターシリンダーと前後輪側のブレーキラインとでなるトライクのブレーキシステム装置とする。【選択図】図１
0003149315.tif 000002
【実用新案登録請求の範囲】
【請求項１】
ブレーキペダルと、当該ブレーキペダルの踏力を倍加させる負圧ブースターおよびマスターシリンダーと前後輪側のブレーキラインとで構成され、踏力を増幅することを特徴とするトライクのブレーキシステム
【考案の詳細な説明】
【考案の詳細な説明】
【技術分野】
【０００１】  本考案は、車体と、この車体に取り付けられたハンドルにより操舵される一つの前輪と、前記車体に搭載されたエンジンにより駆動される左右一対の後輪を備えたトライクに関する。
【背景技術】
【０００２】  トライクのブレーキに関しては、シリンダー型のブースターを使用しており、自動車に一般的に使用されている負圧式のブースターを使用していなかった。
【考案の開示】
【考案が解決しようとする課題】
【０００３】  この考案は、安価でかつ信頼性の高いトライクを提供し、身体的に障害のある人や高齢者の自由に自動二輪車の気分を味わいたいという夢を具現化するため、より少ない踏力でブレーキの制動力を高めることを課題とする。
【課題を解決するための手段】
【０００４】  課題を解決するために講じた本考案の手段は、自動車で一般的に使用されている負圧式のブレーキシステムを導入し負圧式ブレーキブースターとマスターシリンダーと前後輪側のブレーキラインとでなるトライクのブレーキシステム装置の構成とする。
【考案の効果】
【０００５】  エンジンからの負圧をブレーキブースターに利用することにより、ブレーキペダルを押し込む力を増幅し、マスターシリンダーからブレーキ液を押し出す力が倍化し、より少ない力でブレーキの制動力を高めることができる。
【実施例】
【０００８】図１はブレーキシステムの構成図である。【０００９】  ブレーキペダルを踏み込むことにより、マスターシリンダーからブレーキ液を押し出すことになるが、これにエンジンからの負圧を取り込む負圧式のブレーキブースターを利用し、その押し出す力を、倍化させブレーキラインを通った圧力は、各ブレーキキャリパーに設置されたブレーキパッドを押し出す。
【図面の簡単な説明】
【０００９】
【図１】ブレーキ構成図
【図１】
0003149315.tif 000003
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
ブレーキペダルの操作に応じてブレーキ液を加圧するマスターシリンダーとマスターシリンダーからのブレーキ液圧に応じて車両の前後輪に設けられた液圧式のブレーキキャリパーとマスターシリンダーにおいて発生する液圧を液圧式のブレーキキャリパーに伝達するブレーキラインとトライクの車体に取り付けられたブレーキペダルから構成されたブレーキシステムに負圧倍力式のブレーキブースターを組み合わせることを特徴としたトライクのブレーキシステム
(57)【要約】      （修正有）【課題】凍結路面とタイヤの間の摩擦抵抗を増大させる凍結路面からの緊急脱出装置を提供する。【解決手段】走行中の自動車と接地面の摩擦抵抗が増大するよう、緊急時、それぞれのタイヤ前面下部に向けた吹き出し口から熱風を吹きつけ、緊急発進時、運転席から遠隔操作で開閉バルブを作動し、タイヤ前面下部に向けて吹き出し口から排出される熱風がスタッドレスタイヤ前面下部の特殊ゴムの温度上昇を促し、冬タイヤに求められている「粘着力」「せん断効果」「エッジ効果」を促し、接地面の摩擦抵抗が増大して、緊急発進時、安全に発進可能となる。【選択図】図１
0003149394.tif 000002
【実用新案登録請求の範囲】
【請求項１】
エンジン駆動の車両の、触媒とマフラーの間の排気管に分岐用配管を取り付け、分岐用配管内部には開閉バルブが設けられ、分岐用配管から分岐された配管を前方と後方に向けて配置され、前方と後方の配管の先端からは左右に配管が分岐され、分岐された配管の先端に空気吹き出し口が設けられ、空気噴出し口は各タイヤの前方下部に設ける事を特徴とする凍結路面からの緊急脱出装置。
【請求項２】
開閉バルブからの開閉ワイヤーが車内に配置されたことを特徴とする請求項１記載の凍結路面からの緊急脱出装置。
【考案の詳細な説明】
【技術分野】
【０００１】
本考案は、自動車のスタッドレスタイヤの前面下部と凍結路面に排気管から分岐した熱風を吹きつけ、凍結路面とタイヤの間の摩擦抵抗を増大させるタイヤの滑り止め装置に関する。
【背景技術】
【０００２】
凍った道路でタイヤが滑る原因は、凍結路面とタイヤの間に出来る水の膜、車が渋滞、故障等で停止して再び発進する時、スタッドレスタイヤでもスリップし、走行不能になり脱輪、接触事故につながる危険がある。これを防ぐため接地面とタイヤの間の摩擦抵抗を増大させる手段として、スタッドレスタイヤの下に融雪剤や砂や毛布等を咬まして脱出する必要があるが時間と経験が必要である。本考案は如何に車内からの遠隔操作で凍結路面とタイヤの間の摩擦抵抗を増大させスムースな発進を可能にするかを解決する。
車両からの廃熱を利用して、融雪又は氷等を融解する手段として、特開平１０−５４０１７号において、エンジン廃熱を利用する技術が記載されているが、自車の脱出のための構造とはなっていない。
【先行技術文献】
【特許文献】
【０００３】
【特許文献１】特開平１０−５４０１７号
【考案の概要】
【考案が解決しようとする課題】
【０００４】
凍結路面で停止中の自動車が発進時に滑る原因は路面とタイヤの間に出来る水の膜によって接地面との摩擦抵抗が無くなる為。タイヤと接地面との摩擦抵抗を高める為に冬タイヤに求められるものは「粘着力」「せん断効果」「エッジ効果」であり、冬タイヤの機能は、溝で水膜を取り除き路面に直接、力が加わりグリップを確保して、滑りにくくしているやわらかい特殊ゴムの溝を構成するブロックの中に切られているサイプと呼ばれる細かい溝が、鋭角に変形してスキーエッジのようになり凍結路面を引っ掻くようにしてグリップを得る事です。停車時、接地面が低温のためタイヤの機能が低下して、スムースな発進が出来ない状態に対する対策を立てる事を課題とする。
【課題を解決するための手段】
【０００５】
本考案１は、上記課題を解決するために緊急発進時、スタッドレスタイヤ前面下部と凍結路面に遠隔操作の開閉バルブを排気管のマフラー手前に設けて配管で分岐接続し、各タイヤの前面下部に熱風を吹き付け、スタッドレスタイヤと接地面との摩擦抵抗増大を促し、スリップせずに発進できる装置を取り付けることにある。
【０００６】
排気管とマフラーの中間位置に設置された開閉バルブはパイプによって分岐され、このパイプは熱に耐えうるアルミ管、銅管等で構成し、吹き出し口を設け、それぞれのタイヤ前面下部に向けて車体部分に管支え等で配管固定される。
【０００７】
それぞれのタイヤ前面下部に向けた吹き出し口からの熱風は緊急発進時、運転席から遠隔操作で開閉バルブを作動し、ここから分岐された熱風はそれぞれのタイヤ前面下部に向けて吹き出し口から排出され、スタッドレスタイヤ前面下部の特殊ゴムの温度上昇を促す。
【考案の効果】
【０００８】
熱風発生装置から吹き出された熱風がスタッドレスタイヤ前面下部と凍結接地面に吹き付けられる事により、凍結路面とそれぞれのタイヤ前面下部のサイプの温度上昇に依る特殊ゴムの軟化を促し、タイヤの歪による抵抗と氷の上に出来る水の膜と路面の歪による抵抗を増大させるとともにスタッドレスタイヤの溝を構成するブロックに切られているサイプが鋭角に変形してスキーエッジのようになり凍結路面を引っ掻くようにするグリップを得て、摩擦抵抗を増大させ、安全な発進が可能となる。
【図面の簡単な説明】
【０００９】
【図１】熱風発生装置の系統を表示した斜視図（例）
【図２】熱風発生装置の系統を表示した断面図（例）
【図３】熱風発生装置の吹き出し口の取り付け位置図
【図４】タイヤブロックサイプのエッジ効果図
【図５】タイヤの歪による抵抗と路面の歪による抵抗の相関関係図
【考案を実施するための最良の形態】
【００１０】
以下、本考案の実施の形態を図１〜図５に基づいて説明する。
【００１１】
図１においては、熱風気流の発生装置の一例としての系統図を示す、エンジン駆動の車両の触媒とマフラーの間の排気管に分岐用配管を取り付け、分岐用配管内部には開閉バルブを設ける。分岐用配管から分岐された配管を前方と後方に向けて配置し、前方と後方の配管の先端から左右に配管を分岐し、分岐された配管の先端に空気吹き出し口を設け、空気噴出し口は各タイヤの前方下部に設ける事を特徴としている。それぞれのタイヤ前面下部への熱風の吹き出し口は、多面体で構成され内部が空洞になっているものとする。
開閉バルブの操作は、開閉バルブを開閉するためのワイヤーを車内に引き込み、車内のレバー等で開閉を行う構造とする。これにより、必要時に熱風をタイヤに吹き付けることが可能となる。
【００１２】
図２においては、図１と同じ系統図を横から見て車と接地路面の相関関係を示す。
【００１３】
図３においては、熱風の吹き出し口を取り付ける位置を車のホ゛テ゛イの側面下のタイヤカバーの前面に組み込み状態を示す。
【００１４】
図４においては、接地面の摩擦抵抗を高めるために柔らかい特殊ゴムが路面に粘りつく効果が生まれ、深い溝が彫られブロックごとにサイプが設けられ接地路面に食い込み、せんだん効果を、更にタイヤエッジやサイプのエッジでエッジ効果を生み出す状態を示す。
【００１５】
図５においては、車輪が転がる時に起こる接地面とタイヤの抵抗がどうして起こるかを示す。
【符号の説明】
【００１６】
１    熱風取り入れ開閉バルブ
２    熱風取り入れパイプ
３    熱風吹き出し口
４    触媒コンバーター
５    排気管
６    マフラー
７    水の膜
８    凍結路面
【図１】
0003149394.tif 000003
【図２】
0003149394.tif 000004
【図３】
0003149394.tif 000005
【図４】
0003149394.tif 000006
【図５】
0003149394.tif 000007
(57)【要約】      （修正有）【課題】操作中に指が滑ることによる誤操作を起こしづらく、また少ない力でも操作出来るようになり、長時間の操作でも指に疲労が溜まりづらい操作補助パッドを提供する。【解決手段】ゲーム機やリモコン等の操作部分（５）の素材に適した粘着特性を持つ両面テープとシリコン専用両面テープを貼り合わせ、専用両面テープ（２）を作り、ゲーム機やリモコン等の操作部分（５）に、専用両面テープ（２）を貼り付け、その上からシリコン製のパッド（１）を貼り付け固定することが出来るシリコン製操作補助パッドを特徴とする。【選択図】図５
0003149331.tif 000002
【実用新案登録請求の範囲】
【請求項１】
ゲーム機やリモコン等の操作部分（５）に取り付ける、シリコン製のパッド（１）と操作部分（５）とシリコン製のパッド（１）を貼り付けるための、専用両面テープ（２）によって構成され、前記専用両面テープ（２）は、前記操作部分（５）の素材に適した粘着特性を持つ両面テープ（４）と、前記シリコン製のパッド（１）のシリコン素材に適した粘着特性を持つ両面テープ（３）をお互い貼り付け合わせ作られている。
専用両面テープ（２）により、通常は１種類の粘着特性しか持たない両面テープでは強力に貼り付けることが出来なかった、前記操作部分（５）の素材と前記シリコン製のパッド（１）のシリコン素材を強力に貼り付け固定し、前記操作部分（５）を大きく動かした場合の前記シリコン製のパッド（１）の脱落やズレを防止することが出来る、ことを特徴とするシリコン製操作補助パッド。
【考案の詳細な説明】
【技術分野】
【０００１】本考案は、ゲーム機やリモコン等の操作部分に取り付けるシリコンパッドと、シリコンパッドを操作部分に貼り付け、固定するための両面テープに関するものである。
【背景技術】
【０００２】従来は、ゲーム機やリモコン等の操作部分の素材と、シリコン素材の操作を補助するパッドは、素材の粘着特性が違うため、１種類の両面テープを使って強力に貼り付け、固定することは出来なかった。
【考案の開示】
【考案が解決しようとする課題】
【０００３】ゲーム機やリモコン等の操作部分が硬く滑らかな素材の場合、指で操作したときに、摩擦が少ないため指が滑りやすく、操作を失敗する、長時間の操作で指に疲労が溜まりやすくなる、などの問題があった。【０００４】ゲーム機やリモコン等の操作部分に、摩擦の大きいシリコン素材のパッドをはめ込むことで、滑りやすさを低減させることは出来るが、操作部分を大きく動かした場合、容易にシリコン素材のパッドが脱落してしまい、操作性を完全に改善することは出来なかった。
【課題を解決するための手段】
【０００５】ゲーム機やリモコン等の操作部分（５）の素材に適した粘着特性を持つ両面テープ（４）とシリコン専用両面テープ（３）を貼り合わせ、専用両面テープ（２）を作る。
ゲーム機やリモコン等の操作部分（５）に、専用両面テープ（２）を貼り付け、その上からシリコン製のパッド（１）を貼り付け固定する。
本考案は、以上の構成よりなるシリコン製操作補助パッドである。
【考案の効果】
【０００６】ゲーム機やリモコン等の操作部分に、シリコン素材のパッドを固定することで、指と操作部の摩擦が大きくなるため、操作中に指が滑ることによる誤操作を起こしづらくなり、また少ない力でも操作出来るようになるため、長時間の操作でも指に疲労が溜まりづらくなる。
【考案を実施するための最良の形態】
【０００７】以下、本考案を実施するための最良の形態について説明する。
ゲーム機やリモコン等の操作部分（５）の素材に適した粘着特性を持つ両面テープ（４）とシリコン専用両面テープ（３）を貼り合わせ、専用両面テープ（２）を作る。
ゲーム機やリモコン等の操作部分（５）に、専用両面テープ（２）を貼り付け、その上からシリコン製のパッド（１）を貼り付け固定する。
本考案は、以上のような構造である。
【図面の簡単な説明】
【０００８】
【図１】  本考案のシリコン製ゲーム操作補助パッドの実施例を示す斜視図である。
【図２】  本考案の専用両面テープ（２）の製造方法を説明するための斜視図である。
【図３】  シリコン製のパッド（１）の断面図である。
【図４】  専用両面テープ（２）の断面図である。
【図５】  本考案のシリコン製ゲーム操作補助パッドの実施例の使用方法を説明するための図である。
【符号の説明】
【０００９】１      シリコン製のパッド
２      専用両面テープ
３      シリコン専用両面テープ
４      ゲーム機やリモコン等の操作部分の素材に適した粘着特性を持つ両面テープ
５      ゲーム機の操作部分
６      ゲーム機本体
【図１】
0003149331.tif 000003
【図２】
0003149331.tif 000004
【図３】
0003149331.tif 000005
【図４】
0003149331.tif 000006
【図５】
0003149331.tif 000007
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
ゲーム機やリモコン等の操作部分（５）に取り付ける、シリコン製のパッド（１）と操作部分（５）とシリコン製のパッド（１）を貼り付けるための、専用両面テープ（２）によって構成され、前記専用両面テープ（２）は、前記操作部分（５）の素材に適した粘着特性を持つ両面テープ（４）と、前記シリコン製のパッド（１）のシリコン素材に適した粘着特性を持つ両面テープ（３）をお互い貼り付け合わせ作られており、専用両面テープ（２）により、通常は１種類の粘着特性しか持たない両面テープでは強力に貼り付けることが出来なかった、前記操作部分（５）の素材と前記シリコン製のパッド（１）のシリコン素材を強力に貼り付け固定し、前記操作部分（５）を大きく動かした場合の前記シリコン製のパッド（１）の脱落やズレを防止することが出来る、ことを特徴とするシリコン製操作補助パッド。
(57)【要約】【課題】  電気掃除機を使用する場合、狭い場所、机の下、大きな置物等の周辺、電灯の照明のとどきにくい所等における清掃及び、その前後の状況確認作業の不自由さ、を解消した電気掃除機の提供。【解決手段】  電気掃除機の取っ手部にスイッチをもった照明具を取り付け、かつ、その光源の光軸を吸込み用ノズル部に合わせ取り付け、点灯時、常にノズルあたりを照らすようにした電気掃除機。【選択図】図１
0003149339.tif 000002
【実用新案登録請求の範囲】
【請求項１】
吸込み用ノズルに繋がる取っ手部に、該ノズル部に向けて光源の光軸を合わせた状態でスイッチを持った照明具を取り付けたことを特徴とする電気掃除機。
【考案の詳細な説明】
【技術分野】
【０００１】  本考案は、電気掃除機の使用時、掃除場の掃除前後の状況を確認する方法に関するものである。
【背景技術】
【０００２】  毎日使っている電気掃除機ではあるが、進歩する機能に反して、使用実体については慣れも手伝って、障害物を除けながら、ほとんど無意識に取っ手を持って吸込み用ノズルを移動させて、いつものコースを一通り掃除すればそれで良しとしていた所があった。
【考案の開示】
【考案が解決しようとする課題】
【０００３】  しかし、狭い場所、机の下、大きな置物等の周辺、電灯の照明のとどきにくい所等の状況・状態は、その掃除の前後に方法があればどうしても確認したいものである。
本考案は、以上の解決を課題とする。
【課題を解決しようとするための手段】
【０００４】  本考案は、この課題に対し、電気掃除機の取っ手部に照明具を取り付け、かつ、その光源の光軸を吸込み用ノズル部に合わせ固定し、点灯時、常に該ノズルあたりを照らすようにして問題を解決した。
【考案の効果】
【０００５】  本考案による電気掃除機を使用する場合、明るいヶ所の掃除はこれまで通りで良いが、光の当っていない所、狭いヶ所には取っ手部のスイッチを操作し、照明具を点灯すれば使用中の吸込み用ノズルあたりの状態がわかり、その後の状況も光を当てることにより確認することができる。
従って、動きに無駄が少く、特に、本考案によるハンディータイプの電気掃除機で自動車内等狭い場所での使用に当っては、確認がしやすく、効率よく掃除作業をすることができる。
【考案を実施するための最良の形態】
【０００６】  以下、本考案の実施の形態を説明する。
吸込み用ノズル２に繋がる取っ手２部に、該ノズル２部に向けて光源の光軸を合わせた状態で、スイッチ４を持った照明具を取り付けたことを特徴とする電気掃除機。
本考案は、以上の構成よりなっている。
本考案を使用するには、掃除動作は従来どうりの操作で良いが、これまで殆ど確認しなかった狭いヶ所、物の裏側、机の下部等では、必要に応じてスイッチ４を入れ、照明具３を点灯させると、取っ手１を持った掃除姿勢の状態で吸込み用ノズル２先の場所が照らされるので、そのまま連続した動作で作業でき、掃除後の状態確認も容易に行うことができる。
また、自動車内等の狭い場所で使用した場合は、これまで充分にできなかった座席裏側等の細かいところまで清掃でき、掃除の前後の状況確認も効率よく行うことが出来る。
【図面の簡単な説明】
【０００７】
【図１】本考案の電気掃除機の掃除作業状態斜視図
【符号の説明】
【０００８】  １  取っ手
２  吸込み用ノズル
３  照明具
４  スイッチ
【図１】
0003149339.tif 000003
(57)【要約】      （修正有）【課題】対する二つの稜角を帯にて連結緊締することで、固定し保持を行うことを目的とするクラフトを提供する。【解決手段】帯状の材料（以下、単に帯とよぶ）をパッケージ（主に平面が正方形のもの）の隣り合う側面２面の稜に、その中央部分を合わせて、左右に直角に折り曲げる。稜の長さからはみでる下部の帯は、更に直角に折り曲げてもう一方の対稜角よりの帯とパッケージの底面部において、対角線上に固着或いは連結する。上部に出た帯は下部と同じく、直角に折り曲げて任意の長さで切断する。もう一方よりの同様帯とパッケージの上平面で、対角線上に紐等で結び緊締する。【選択図】図１
0003149332.tif 000002
【実用新案登録請求の範囲】
【請求項１】
直方体パッケージの対角する二つの稜角を帯状の物で連結し、固定させる対稜角物品緊締保持帯クラフト。
【考案の詳細な説明】
【技術分野】
【０００１】  本考案は、対する二つの稜角を帯にて連結緊締することで、固定し保持を行うを目的とするクラフトに関するものである。
【背景技術】
【０００２】  従来、角状（直方体）のパッケージの梱包或いは保持は、縦横に十字の帯（紐）２本以上を掛けて、緊締する事により行われて来た。【０００３】  この紐掛けは縦横の中央部に緩み無く緊締しなければ、物品（パッケージ）はずれたり、移動時に抜け落ちたりする為に、細心の注意と緊締の技術を必要としている。【０００４】  この縦横の紐掛けは、安全の為に上下を転回して二重に行う事も多く、手間もかかり、開梱時に於いてはその緊締の強さや複雑さから、帯（紐）は切って捨てられる事も多い。
【考案の開示】
【考案が解決しようとする課題】
【０００５】  従来の紐掛けの作業は手間も技術も必要、又紐や帯等の材料の量もばかには出来ず開梱後の無駄もある。【０００６】  本考案は今までの紐掛け梱包が極当たり前のように行って来た、縦横の十の字の紐掛けにとらわれる事なく、パッケージの稜線と対稜角を使って帯（紐）を掛け、緊締を行おうというものである。【０００７】  梱包の歴史の上で、稜線と対稜角を使うという発想は殆どされた事が無く、観念としても存在しない為、その器具用具も無いのである。本考案は今までの紐掛けの発想を転換、対稜角どうしの緊締方法の便易性に目を向け、日常の梱包や包装の中に多用しようというものである。
【課題を解決するための手段】  帯状の材料をパッケージの側面の稜の形状に合わせて、コの字に折り曲げ対稜角どうしを、連結緊締する為のクラフトである。【０００８】  帯状の材料（以下、単に帯とよぶ）をパッケージ（主に平面が正方形のもの）の隣り合う側面２面の稜に、その中央部分を合わせて、左右に直角に折り曲げる。稜の長さからはみでる下部の帯は、更に直角に折り曲げてもう一方の対稜角よりの帯とパッケージの底面部において、対角線上に固着或いは連結する。上部に出た帯は下部と同じく、直角に折り曲げて任意の長さで切断。もう一方よりの同様帯とパッケージの上平面で、対角線上に紐等で結び緊締する。
【考案の効果】
【０００９】  本考案は従来の梱包の観念を転換、作業の早さと簡易性の効果。緊締の確実度と安定感、菓子箱等の軽い商品では多数をまとめて緊締出来る事、緊締は一本一個所で足りる経済性と省資源等のエコ効果がある。又使用した帯は形を損傷しない為、同じ規格のパッケージに繰り返し利用出来る効果がある。【００１０】  パッケージの対稜角を使って緊締保持を行う事は今までに無い発想の分野であり、特に商業面に於いて、対面での包装の簡便性や帯材料の紙・布・プラスチックス・木・金属等の多様性を考えるとき、そのファッション性や美的効果も大きい。
【考案を実施するための形態】
【００１１】  この考案は緊締する対象のパッケージの形体が平面が正方形、即ち４５度の対角線を持つ事、帯のサイズをパッケージの規格に合わせた専用の規格とする事である。又将来的にはパッケージの規格を、平面の対角線のサイズと厚さによりＡ−１，Ａ−２．Ｂ−１，Ｂ−２といった様に、規格化し既製品化出来れば、帯は汎用となって非常に利便性を増す。
実施例１
図１、２、３に従って説明。帯の長さはパッケージの底面の長さに対角線上の対する二つの稜の長さをプラス、更にパッケージ上面の半分程度の長さをプラスしたものを全長とする。これをパッケージの上下の稜角と稜に沿ってコの字状に折り曲げ、反対側の稜角も同様に逆コの字状に加工する。
【００１２】  実施例２
パッケージの底面については、一本の帯そのままであっても、或いは２本の帯を色を変えて固着連結してのファッション性の強調や、ゴム状の帶等で連結して、パッケージのサイズの変化（厚さは一様）に対応させる事等も可能である。
【００１３】  実施例３
製造業（特に工業製品）の現場に於いては、この帯状器具を対重量性のある金属で作成し、穴開けしての引っ掛け懸垂や、固定ボルトの移動による可動性を持たせれば、同規格の箱、或いは箱状製品の多数を重ねてクレーン等で一度に、崩れたり落としたりの事故なく安全に運搬移動出来る。
【産業上の利用可能性】
【００１４】  従来、パッケージの梱包や包装は縦と横の方向から紐や帯で緊締が当然の事のように行われて来た。それは手間も掛かり確実安全にするための注意と熟練も要するのである。
しかし、パッケージの稜と稜角を活かして対角線上で緊締するやり方は、その利便性や安定感そして安易に梱包するに極めて有効な物と思われる。特に帯幅や素材を変える事によって生まれる、商業製品の新奇性やファッション性は大いに期待出来るものである。むしろこれは梱包であると同時に、風呂敷包みや袋入れ箱入れに匹敵する新しい包装形体の方法であるとも言える。又近年の省資源への方策としても大いに利用の可能性が期待出来る。
【図面の簡単な説明】
【００１５】
【図１】正面から見る対稜角物品緊締保持帯クラフト。
【図２】側面を示す図
【図３】全体の見取図
【符号の説明】
【００１３】１      保持帯
２      保持されるパッケージ
３      帯を連結する紐
４      紐を通す穴
【図１】
0003149332.tif 000003
【図２】
0003149332.tif 000004
【図３】
0003149332.tif 000005
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
直方体パッケージ一個、或いは複数の直方体パッケージの４辺をきっちり重ねた物に、最上部の稜角と最下部の稜角を結ぶ稜線の寸法に合わせて、稜線を中心に直角に接する左右の面を持ち、断面がくの字型の帯を作成し、これにパッケージの上面のもう一方の稜角に延びる任意の長さの帯を接続させパッケージの下面においても同様に帯を接続して、コの字型の枠になった形状とし、これを２個作成して二つの対稜角それぞれにはめ、パッケージの上面においては紐等で緊縛し、下部においては接着する事を特徴とする対稜角物品保持帯クラフト。